(57)【要約】      （修正有）【課題】単純な構造で、容易に使用でき、コストの低減化が可能な寝返り補助器を提供する。【解決手段】要介護者の寝返り動作を補助するための寝返り補助器１１であって、前記要介護者の横方向に沿って配置され、内側に前記要介護者の身体を囲繞可能な空間１３を有する複数の円環状部材１４と、前記要介護者の縦方向に沿って配置され、各円環状部材１４を連結する連結部材１５とを備えており、各円環状部材１４が前記要介護者の身体を囲繞した状態で横方向に回転されることにより前記要介護者を寝返りさせる。【選択図】図４
0003132543.tif 000002
【実用新案登録請求の範囲】
【請求項１】
要介護者の寝返り動作を補助するための寝返り補助器であって、
前記要介護者の横方向に沿って配置され、内側に前記要介護者の身体を囲繞可能な空間を有する複数の円環状部材と、
前記要介護者の縦方向に沿って配置され、前記各円環状部材を連結する連結部材と、
を備えており、
前記各円環状部材が前記要介護者の身体を囲繞した状態で横方向に回転されることにより前記要介護者を寝返りさせることを特徴とする寝返り補助器。
【請求項２】
前記連結部材は前記各円環状部材の上部を連結し、前記連結部材を支点に前記各円環状部材が外側に回転することにより前記各円環状部材の下部が開放されるようになっている請求項１に記載の寝返り補助器。
【請求項３】
前記各円環状部材は弾力性を有する平板を円環状に湾曲させることにより形成され、前記連結部材は複数設けられ、前記各円環状部材が挿通可能なスリット孔を備えている請求項１に記載の寝返り補助器。
【考案の詳細な説明】
【技術分野】
【０００１】
本考案は、老人や病人、或いは身体障害者等の要介護者の寝返り動作を補助するための寝返り補助器に関する。
【背景技術】
【０００２】
従来、自分自身で寝返り動作をすることのできない要介護者を床ずれ等から守るため、要介護者が介護者の手を借りずに寝返り動作を行なうことができるように構成したベッド等が提案されている。
【０００３】
従来のこの種のベッドとしては、例えば、多数個のスプリング部材を内部に格納して成るマットと、該マットを載せる支持台と、該支持台の前記マットのスプリング部材に対応した位置に配置されたピストン部材と、該ピストン部材の動作を制御する制御装置とを備え、該制御装置が前記マットの長手方向に一列に並んだピストン部材を一組として各組毎に上下動制御することにより要介護者が寝返り動作を行なうことができるようにしたベッドが公知である（例えば、特許文献１参照）。
【特許文献１】特開平１１−２５３４９６号公報
【考案の開示】
【考案が解決しようとする課題】
【０００４】
しかしながら、上記した従来のベッドは、構成部品が多いと共に制御が複雑であるため、操作し難く、製造コストの低減化が図り難いといった問題があった。
【０００５】
本考案は、上記した課題を解決すべくなされたものであり、単純な構造で、容易に使用でき、コストの低減化が可能な寝返り補助器を提供することを目的とするものである。
【課題を解決するための手段】
【０００６】
上記した目的を達成するため、本考案は、要介護者の寝返り動作を補助するための寝返り補助器であって、前記要介護者の横方向に沿って配置され、内側に前記要介護者の身体を囲繞可能な空間を有する複数の円環状部材と、前記要介護者の縦方向に沿って配置され、前記各円環状部材を連結する連結部材とを備えており、前記各円環状部材が前記要介護者の身体を囲繞した状態で横方向に回転されることにより前記要介護者を寝返りさせることを特徴とする。
【０００７】
そして、前記連結部材は前記各円環状部材の上部を連結し、前記連結部材を支点に前記各円環状部材が外側に回転することにより前記各円環状部材の下部が開放されるようになっていてもよい。
【０００８】
また、前記各円環状部材は弾力性を有する平板を円環状に湾曲させることにより形成され、前記連結部材は複数設けられ、前記各円環状部材が挿通可能なスリット孔を備えていてもよい。
【考案の効果】
【０００９】
本考案によれば、単純な構造で、容易に使用することができ、また、構成部品が少なく、コストの低減化を図ることができる。
【考案を実施するための最良の形態】
【００１０】
以下、図面を参照しつつ、本考案の実施の形態について説明する。
【００１１】
先ず、図１〜図３を参照しつつ、本考案の第１の実施の形態に係る寝返り補助器について説明する。ここで、図１は本考案の第１の実施の形態に係る寝返り補助器を示す斜視図、図２は同寝返り補助器を示す側面図、図３の(ａ)は同寝返り補助器を要介護者に装着する前の状態を示す側面図、(ｂ)は同寝返り補助器を要介護者に装着した状態を示す側面図である。
【００１２】
本実施の形態に係る寝返り補助器１は、要介護者の横方向に沿って配置され、内側に要介護者の身体２を囲繞可能な空間３を有する複数（図示では４個）の円環状部材４と、要介護者の縦方向に沿って配置され、各円環状部材４を連結する一本の連結部材５とを備えて構成されている。
【００１３】
連結部材５は棒状を成し、各円環状部材４の上部を連結し、各円環状部材４は連結部材
５を中心に左右対称を成す円弧状の左右回動部材４ａ，４ｂにより構成されている。そして、この左右回動部材４ａ，４ｂが連結部材５を支点に外側に回転することにより各円環状部材４の下部が開放されるようになっている。また、左右回動部材４ａ，４ｂの下端には互いに結合可能なように結合手段（図示省略）が設けられていても良い。
【００１４】
このような構成を備えた寝返り補助器１を使用して介護者が要介護者に寝返り動作を行なわせる場合、先ず、図３（ａ）に示すように、連結部材５を支点に左右回動部材４ａ，４ｂをそれぞれ外側に回転させて下部を開放させた状態の各円環状部材４をベッドに横たわっている要介護者の身体２の上から被せるようにベッド上に載せる。
【００１５】
次いで、図３（ｂ）に示すように、連結部材５を支点に左右回動部材４ａ，４ｂをそれぞれ内側に回転させ、左右回動部材４ａ，４ｂの先端部を要介護者の身体２とベッドとの間に挿入し、各円環状部材４により要介護者の身体２を囲繞する。
【００１６】
そして、この状態で寝返り補助具１をベッド上の左右いずれか一方の横方向に回転させ、要介護者を寝返り動作させる。
【００１７】
次に、図４〜図７を参照しつつ、本考案の第２の実施の形態に係る寝返り補助具について説明する。ここで、図４は本考案の第２の実施の形態に係る寝返り補助器を示す斜視図、図５は同寝返り補助器を示す側面図、図６は同寝返り補助器を示す側面図、図７は同第２の実施の形態に係る寝返り補助器を示す側面図である。
【００１８】
本実施の形態に係る寝返り補助器１１は、要介護者の横方向に沿って配置され、内側に要介護者の身体１２を囲繞可能な空間１３を有する複数（図示では４個）の円環状部材１４と、要介護者の縦方向に沿って配置され、各円環状部材１４を連結する複数本（図示では５本）の連結部材１５とを備えて構成されている。
【００１９】
図６に示すように、連結部材１５は角棒状を成し、各連結部材１５には各円環状部材１４が挿通可能なスリット孔１６が均等間隔で穿設されている。また、各円環状部材１４は、例えば竹のように、弾力性を有する平板を円環状に湾曲させることにより形成されており、各円環状部材１４の始端部及び終端部は同一のスリット孔１６で重合するようになっている。
【００２０】
このような構成を備えた寝返り補助器１１を使用して介護者が要介護者に寝返り動作を行なわせる場合、先ず、各円環状部材１４を要介護者の身体２とベッドとの間に挿入し、
各連結部材１５のスリット孔１６に挿通する。そして、各円環状部材１４により要介護者の身体２を囲繞し、全体形状が円筒形状となるように形成する。
【００２１】
その後、この状態で寝返り補助具１１をベッド上の左右いずれか一方の横方向に回転させ、要介護者を寝返り動作させる。
【００２２】
このように上記した各実施の形態に係る寝返り補助器１，１１は、単純な構造で、容易に使用することができ、また、構成部品が少なく、コストの低減化を図ることができる。
【図面の簡単な説明】
【００２３】
【図１】本考案の第１の実施の形態に係る寝返り補助器を示す斜視図である。
【図２】本考案の第１の実施の形態に係る寝返り補助器を示す側面図である。
【図３】(ａ)は本考案の第１の実施の形態に係る寝返り補助器を要介護者に装着する前の状態を示す側面図であり、(ｂ)は同寝返り補助器を要介護者に装着した状態を示す側面図である。
【図４】本考案の第２の実施の形態に係る寝返り補助器を示す斜視図である。
【図５】本考案の第２の実施の形態に係る寝返り補助器を示す側面図である。
【図６】本考案の第２の実施の形態に係る寝返り補助器を示す側面図である。
【図７】本考案の第２の実施の形態に係る寝返り補助器を示す側面図である。
【符号の説明】
【００２４】
１          寝返り補助器
２          身体
３          空間
４          円環状部材
５          連結部材
１１        寝返り補助器
１２        身体
１３        空間
１４        円環状部材
１５        連結部材
１６        スリット孔
【図１】
0003132543.tif 000003
【図２】
0003132543.tif 000004
【図３】
0003132543.tif 000005
【図４】
0003132543.tif 000006
【図５】
0003132543.tif 000007
【図６】
0003132543.tif 000008
【図７】
0003132543.tif 000009